【事件の表示】
　特願２００３−４３３００５「光情報記録媒体」拒絶査定不服審判事件〔平成１７年　７月１４日出願公開、特開２００５−１９０６１６〕について、次のとおり審決する。
【結　論】
　本件審判の請求は、成り立たない。
【理　由】
第１　手続の経緯
　
　本願は、平成１５年１２月２６日の出願であって、平成２０年１月１７日付けの拒絶の理由に対して平成２０年３月１４日付けで手続補正がされたが、前記拒絶の理由により平成２０年４月３日付けで拒絶査定され、これに対し、平成２０年５月８日に拒絶査定不服審判が請求されるとともに、平成２０年６月５日付けで手続補正がされた。
　そして、平成２２年７月９日付けで特許法第１６４条第３項による報告の内容を利用した審尋がなされ、平成２２年９月６日付けで回答書が提出された。　
　
第２　平成２０年６月５日付けの手続補正についての補正却下の決定
　
〔補正却下の決定の結論〕
　平成２０年６月５日付けの手続補正を却下する。
　
〔理　由〕
１．本件補正
　平成２０年６月５日付けの手続補正（以下、「本件補正」という。）は、特許請求の範囲について、本件補正前に、
「　　【請求項１】
透光性を有するとともにプリグルーブを形成した基板と、
　　この基板上に設けるとともに、レーザー光を吸収する色素から構成した光吸収物質を含む光記録層と、
　　この光記録層上に設けるとともに、前記レーザー光を反射する光反射層と、を有し、
　　前記基板を通して前記光記録層に前記レーザー光を照射することにより光学的に読み取り可能な情報を記録する光情報記録媒体であって、
　　前記プリグルーブ内において、当該光情報記録媒体の直径方向の切断面における前記プリグルーブの断面積に対する前記色素が占める断面積の比率（グルーブ内色素比率）が、
　　３０％〜６３％、
であるとともに、
　　前記光反射層の前記光記録層内における傾斜部の角度（グルーブ色素角度）が、
　　３７．５度〜６０度、であり、
　　前記プリグルーブ内への前記光反射層の突出深さが、
　　８３ｎｍ〜１４０ｎｍ、であり、
　　前記プリグルーブ内の前記色素の厚さが、
　　３５ｎｍ〜９０ｎｍ、であり、
　　前記色素の色素レベリング値が、
　　０．１５〜０．２９、であることを特徴とする光情報記録媒体。
　　【請求項２】
透光性を有するとともにプリグルーブを形成した基板と、
　　この基板上に設けるとともに、レーザー光を吸収する色素から構成した光吸収物質を含む光記録層と、
　　この光記録層上に設けるとともに、前記レーザー光を反射する光反射層と、を有し、
　　前記基板を通して前記光記録層に前記レーザー光を照射することにより光学的に読み取り可能な情報を記録する光情報記録媒体であって、
　　前記プリグルーブ内において、当該光情報記録媒体の直径方向の切断面における前記プリグルーブの断面積に対する前記光反射層が占める断面積の比率（グルーブ内光反射層比率）が、
　　３７％〜７０％、
であるとともに、
　　前記光反射層の前記光記録層内における傾斜部の角度（グルーブ色素角度）が、
　　３７．５度〜６０度、であり、
　　前記プリグルーブ内への前記光反射層の突出深さが、
　　８３ｎｍ〜１４０ｎｍ、であり、
　　前記プリグルーブ内の前記色素の厚さが、
　　３５ｎｍ〜９０ｎｍ、であり、
　　前記色素の色素レベリング値が、
　　０．１５〜０．２９、であることを特徴とする光情報記録媒体。
　　【請求項３】
前記プリグルーブ内における前記グルーブ内色素比率が、
　　３０％〜５７％、
であることを特徴とする請求項１あるいは２記載の光情報記録媒体。
　　【請求項４】
前記プリグルーブ内における前記グルーブ内光反射層比率が、
　　４３％〜７０％、
であることを特徴とする請求項１あるいは２記載の光情報記録媒体。
　　【請求項５】
前記プリグルーブ内への前記光反射層の突出深さが、
　　９３ｎｍ〜１４０ｎｍ、
であることを特徴とする請求項１あるいは２記載の光情報記録媒体。
　　【請求項６】
前記プリグルーブ内の前記色素の厚さが、
　　３５ｎｍ〜８３ｎｍ、
であることを特徴とする請求項１あるいは２記載の光情報記録媒体。
　　【請求項７】
前記グルーブ色素角度が、
　　３８．５度〜６０度、
であることを特徴とする請求項１あるいは２記載の光情報記録媒体。
　　【請求項８】
前記色素の色素レベリング値が、
　　０．１５〜０．２６、
であることを特徴とする請求項１あるいは２記載の光情報記録媒体。
　　【請求項９】
記録時における基準線速度をＳとしたときに、
　　Ｓ×ｎ（ただし、ｎは、８以上の整数）
の記録速度に対応可能であることを特徴とする請求項１、２記載の光情報記録媒体。
　　【請求項１０】
記録時における基準線速度をＳとしたときに、
　　Ｓ×ｎ（ただし、ｎは、８をこえる整数）
の記録速度に対応可能であることを特徴とする請求項３から８のいずれかに記載の光情報記録媒体。」
とあったところを、
　
　本件補正後
「　　【請求項１】
透光性を有するとともにプリグルーブを形成した基板と、
　　この基板上に設けるとともに、レーザー光を吸収する色素から構成した光吸収物質を含む光記録層と、
　　この光記録層上に設けるとともに、前記レーザー光を反射する光反射層と、を有し、
　　前記基板を通して前記光記録層に前記レーザー光を照射することにより光学的に読み取り可能な情報を記録する光情報記録媒体であって、
　　前記プリグルーブ内において、当該光情報記録媒体の直径方向の切断面における前記プリグルーブの断面積に対する前記色素が占める断面積の比率（グルーブ内色素比率）が、
　　３０％〜６３％、
であるとともに、
　　前記光反射層の前記光記録層内における傾斜部の角度（グルーブ色素角度）が、
　　３７．５度〜６０度、であり、
　　前記プリグルーブ内への前記光反射層の突出深さが、
　　８３ｎｍ〜１４０ｎｍ、であり、
　　前記プリグルーブ内の前記色素の厚さが、
　　３５ｎｍ〜９０ｎｍ、であり、
　　前記色素の色素レベリング値が、
　　０．１５〜０．２９、であることを特徴とする光情報記録媒体。
　　【請求項２】
透光性を有するとともにプリグルーブを形成した基板と、
　　この基板上に設けるとともに、レーザー光を吸収する色素から構成した光吸収物質を含む光記録層と、
　　この光記録層上に設けるとともに、前記レーザー光を反射する光反射層と、を有し、
　　前記基板を通して前記光記録層に前記レーザー光を照射することにより光学的に読み取り可能な情報を記録する光情報記録媒体であって、
　　前記プリグルーブ内において、当該光情報記録媒体の直径方向の切断面における前記プリグルーブの断面積に対する前記光反射層が占める断面積の比率（グルーブ内光反射層比率）が、
　　３７％〜７０％、
であるとともに、
　　前記光反射層の前記光記録層内における傾斜部の角度（グルーブ色素角度）が、
　　３７．５度〜６０度、であり、
　　前記プリグルーブ内への前記光反射層の突出深さが、
　　８３ｎｍ〜１４０ｎｍ、であり、
　　前記プリグルーブ内の前記色素の厚さが、
　　３５ｎｍ〜９０ｎｍ、であり、
　　前記色素の色素レベリング値が、
　　０．１５〜０．２９、であることを特徴とする光情報記録媒体。
　　【請求項３】
前記プリグルーブ内における前記グルーブ内色素比率が、
　　３０％〜５７％、
であることを特徴とする請求項１あるいは２記載の光情報記録媒体。
　　【請求項４】
前記プリグルーブ内における前記グルーブ内光反射層比率が、
　　４３％〜７０％、
であることを特徴とする請求項１あるいは２記載の光情報記録媒体。
　　【請求項５】
前記プリグルーブ内への前記光反射層の突出深さが、
　　９３ｎｍ〜１４０ｎｍ、
であることを特徴とする請求項１あるいは２記載の光情報記録媒体。
　　【請求項６】
前記プリグルーブ内の前記色素の厚さが、
　　３５ｎｍ〜８３ｎｍ、
であることを特徴とする請求項１あるいは２記載の光情報記録媒体。
　　【請求項７】
前記グルーブ色素角度が、
　　３８．５度〜６０度、
であることを特徴とする請求項１あるいは２記載の光情報記録媒体。
　　【請求項８】
前記色素の色素レベリング値が、
　　０．１５〜０．２６、
であることを特徴とする請求項１あるいは２記載の光情報記録媒体。
　　【請求項９】
記録時における基準線速度をＳとしたときに、
　　Ｓ×ｎ（ただし、ｎは、８以上の整数）
の記録速度に対応可能であることを特徴とする請求項１、２記載の光情報記録媒体。
　　【請求項１０】
記録時における基準線速度をＳとしたときに、
　　Ｓ×ｎ（ただし、ｎは、８をこえる整数）
の記録速度に対応可能であることを特徴とする請求項３から８のいずれかに記載の光情報記録媒体。
　　【請求項１１】
透光性を有するとともにプリグルーブを形成した基板と、
　　
この基板上に設けるとともに、レーザー光を吸収する色素から構成した光吸収物質を含む光記録層と、
　　
この光記録層上に設けるとともに、前記レーザー光を反射する光反射層と、を有し、
　　
前記基板を通して前記光記録層に前記レーザー光を照射することにより光学的に読み取り可能な情報を記録する光情報記録媒体であって、
　　
前記プリグルーブ内において、当該光情報記録媒体の直径方向の切断面における前記プリグルーブの断面積に対する前記色素が占める断面積の比率（グルーブ内色素比率）が、
　　
４８％〜５８％、
であるとともに、
　　
前記光反射層の前記光記録層内における傾斜部の角度（グルーブ色素角度）が、
　　
３７．５度〜４１度、であり、
　　
前記プリグルーブ内への前記光反射層の突出深さが、
　　
９８ｎｍ〜１０９ｎｍ、であり、
　　
前記プリグルーブ内の前記色素の厚さが、
　　
７１ｎｍ〜８３ｎｍ、であり、
　　
前記色素の色素レベリング値が、
　　
０．２２〜０．２９、であることを特徴とする光情報記録媒体。
　　【請求項１２】
透光性を有するとともにプリグルーブを形成した基板と、
　　
この基板上に設けるとともに、レーザー光を吸収する色素から構成した光吸収物質を含む光記録層と、
　　
この光記録層上に設けるとともに、前記レーザー光を反射する光反射層と、を有し、
　　
前記基板を通して前記光記録層に前記レーザー光を照射することにより光学的に読み取り可能な情報を記録する光情報記録媒体であって、
　　
前記プリグルーブ内において、当該光情報記録媒体の直径方向の切断面における前記プリグルーブの断面積に対する前記光反射層が占める断面積の比率（グルーブ内光反射層比率）が、
　　
４２％〜５２％、
であるとともに、
　　
前記光反射層の前記光記録層内における傾斜部の角度（グルーブ色素角度）が、
　　
３７．５度〜４１度、であり、
　　
前記プリグルーブ内への前記光反射層の突出深さが、
　　
９８ｎｍ〜１０９ｎｍ、であり、
　　
前記プリグルーブ内の前記色素の厚さが、
　　
７１ｎｍ〜８３ｎｍ、であり、
　　
前記色素の色素レベリング値が、
　　
０．２２〜０．２９、であることを特徴とする光情報記録媒体。
とするものである。
　
２．本件補正についての検討
　本件補正について検討すると、本件補正は、特許請求の範囲について、新たに請求項１１及び１２を追加するものであるから、特許請求の範囲の減縮を目的とするものとは認められない。
　そして、本件補正は、誤記の訂正、又は明りょうでない記載の釈明のいずれにも該当しない。
　
　以上のとおりであるから、本件補正は、平成１８年法律第５５号改正附則第３条第１項によりなお従前の例によるとされる改正前の特許法第１７条の２第４項各号に掲げる事項を目的とするものに該当しない。
　
３．本件補正についての結び
　以上のとおり、本件補正は、平成１８年法律第５５号改正附則第３条第１項によりなお従前の例によるとされる改正前の特許法第１７条の２第４項の規定に違反するので、同法第１５９条第１項で読み替えて準用する同法第５３条第１項の規定により却下すべきものである。
　
第３　本願発明について
　
１．本願発明
　平成２０年６月５日付けの手続補正は上記のとおり却下されたので、本願の請求項１ないし１０に係る発明は、平成２０年３月１４日付けの手続補正書の特許請求の範囲の請求項１ないし１０に記載されたとおりのものであるところ、請求項１に係る発明（以下、「本願発明」という。）は、上記「第２　〔理由〕１．」に本件補正前の請求項１として記載したとおりのものである。
　
２．引用例
　原査定の拒絶の理由に引用された、本願出願日前に頒布された刊行物である特開２０００−２６８４０９号公報（以下、「引用例」という）には、図面とともに以下の技術事項が記載されている。（なお、下線は当審で付与した。）
　
（ａ）
【請求項１】  
グルーブを有する基板上に光吸収層及び反射層をこの順で備え
上記基板のグルーブ底面からその直上に位置する反射層までの距離ｄ１が、７５ｎｍ≦ｄ１≦２００ｎｍを満足し、且つ基板のグルーブに対応する反射層の窪みの半値幅における傾斜角Ｇａが、１５°≦Ｇａ≦８０°を満足することを特徴とする光記録媒体
　
（ｂ）
【００１０】そこで、本発明の光記録媒体では、図２に示すように、
基板のグルーブＴｇに対応する反射層３の窪み部Ｇの半値幅の位置における側壁の傾斜角Ｇａが１５°〜８０°の範囲内になるように反射層３の形状を調整した
【００１１】更に、本発明では、
図２における基板のグルーブＴｇの底面から、その直上に位置する反射層３までの距離ｄ１、すなわちグルーブ部の中心近傍における記録層２の厚みを７５ｎｍ〜２００ｎｍにしているので大きな信号変調度を得ることができる。ｄ１を２００ｎｍよりも大きくすると信号変調度は大きくなるものの、記録の際にピットの制御が困難となる
また、７５ｎｍよりも薄くすると、記録膜を構成する色素の量が少なくなってしまい十分な信号変調度を得ることができない
【００１２】本発明では、図３に示したように、反射層３の窪み部Ｇの両側壁Ｇｓ１、Ｇｓ２における傾斜角をそれぞれＧｓａ１、Ｇｓａ２としたときに、｜Ｇｓａ１−Ｇｓａ２｜≦２０°を満足することが好ましい。｜Ｇｓａ１−Ｇｓａ２｜＞２０°であると、２分割検出器で検出される反射光強度分布にアンバランスが生じて、２分割検出器からの出力差が０にならず、記録光または再生光の光軸がトラックの中心にないと認識されて正確なトラッキングが行えなくなる恐れがある。
【００１３】本発明において、
光吸収層は、基板上に直接または任意の層を介して形成することができ、追記型光記録媒体の記録膜に用いられる既知の有機色素を用いて構成することができる。例えば、シアニン色素またはアゾ色素を含む有機色素若しくは色素組成物を用いて構成することができる
　
（ｃ）
【００１５】本発明の光記録媒体の
基板は、波長６００ｎｍ〜７００ｎｍ、望ましくは６５０ｎｍの記録光および再生光に対して実質的に透過性を有する樹脂やガラス等を用いて構成する
例えば、トラックピッチを０．７μｍ〜０．９μｍ、グルーブの半値幅を０．２５μｍ〜０．４５μｍにし得る
　
（ｄ）
【００２１】最初に、プリグルーブに対応する凹凸パターンが形成されたスタンパを射出成形機の金型に装填し、溶融したポリカーボネート樹脂を金型内に射出充填して透明基板１を作製した。
作製した透明基板１は、直径１２０ｎｍ、厚さ０．６ｍｍであった。また、透明基板１は、その表面にトラックピッチ０．８μｍのグルーブを有しており、図２におけるグルーブＴｇの側壁Ｔｇｓの傾斜角は７９°、グルーブの両端部の深さｄｓ１及びｄｓ２は共に１６９ｎｍ、グルーブの半値幅Ｇｗは３６５ｎｍであった
【００２２】つぎに、得られた透明基板１上に光吸収層２を次のようにして形成した。まず、トリメチンシアニン色素（１，３，３，１’，３’，３’−ヘキサメチル−２，２’−（４，５−ベンゾ）インドカルボシアニンパークロレート）１重量部と、アミニウム化合物として日本火薬（株）製ＩＲＧ００２を０．１重量部用とをテトラフルオロプロパノール１００重量部に溶解し、ポアサイズ０．２５μｍのメンブランフィルターを用いてろ過して色素溶液を作製した。この溶液を透明基板１のグルーブ形成面上にスピンコートにより塗布し、８０℃のオーブンで６０分アニールして光吸収層２を形成した。
【００２３】次いで、光吸収層２を形成した透明基板１をスパッタ装置（図示しない）に装填した。ターゲット材料に銀を用いてスパッタリングすることにより、光吸収層２上に銀からなる反射層３を膜厚１００ｎｍで成膜した。反射層３を形成した透明基板１をスパッタ装置から取り出し、
反射層３上に紫外線硬化樹脂をスピンコートにより膜厚５μｍで塗布した後、紫外線を照射して紫外線硬化樹脂を硬化させて保護層４を形成した
　
　上記引用例記載事項及び図面を総合勘案すると、引用例には、次の発明（以下、「引用発明」という。）が記載されているものと認める。
　
「透過性を有するとともにグルーブを有する基板上に色素を用いて構成する光吸収層及び反射層をこの順で備え、
上記基板のグルーブ底面からその直上に位置する反射層までの距離ｄ１が、７５ｎｍ≦ｄ１≦２００ｎｍを満足し、
且つ基板のグルーブに対応する反射層の窪みの半値幅における傾斜角Ｇａが、１５°≦Ｇａ≦８０°を満足する光記録媒体。」
　
３．対比
　そこで、本願発明を、引用発明と比較する。
　
　引用発明の「透過性を有するとともにグルーブを有する基板」、「色素を用いて構成する光吸収層」、「反射層」、「光記録媒体」は、本願発明のそれぞれ「透光性を有するとともにプリグルーブを形成した基板」、「レーザー光を吸収する色素から構成した光吸収物質を含む光記録層」、「前記レーザー光を反射する光反射層」、「光学的に読み取り可能な情報を記録する光情報記録媒体」に相当することは明らかである。
　すると、引用発明の「透過性を有するとともにグルーブを有する基板上に色素を用いて構成する光吸収層及び反射層をこの順で備え」「る光記録媒体」は、
本願発明の「透光性を有するとともにプリグルーブを形成した基板と、
　　この基板上に設けるとともに、レーザー光を吸収する色素から構成した光吸収物質を含む光記録層と、
　　この光記録層上に設けるとともに、前記レーザー光を反射する光反射層と、を有し、
　　前記基板を通して前記光記録層に前記レーザー光を照射することにより光学的に読み取り可能な情報を記録する光情報記録媒体」に相当する。
　
　引用発明の「基板のグルーブ底面からその直上に位置する反射層までの距離ｄ１」は、上記摘記事項（ｂ）に記載されている様に「グルーブ部の中心近傍における記録層２の厚み」であるから、本願発明の「前記プリグルーブ内の前記色素の厚さ」に相当する。
　すると、引用発明において「基板のグルーブ底面からその直上に位置する反射層までの距離ｄ１が、７５ｎｍ≦ｄ１≦２００ｎｍを満足」する点は、本願発明の「前記プリグルーブ内の前記色素の厚さが、３５ｎｍ〜９０ｎｍ、であ」る点と、「７５ｎｍ〜９０ｎｍ」の範囲で重なっている。
　
　引用発明の「基板のグルーブに対応する反射層の窪み」、「窪みの半値幅における傾斜角」は、本願発明の「前記光反射層の前記光記録層内における傾斜部」、「角度」に相当することは明らかである。
　すると、引用発明の「基板のグルーブに対応する反射層の窪みの半値幅における傾斜角Ｇａが、１５°≦Ｇａ≦８０°を満足する」点は、本願発明の「前記光反射層の前記光記録層内における傾斜部の角度（グルーブ色素角度）が、３７．５度〜６０度」を含む。
　
　すると、本願発明と、引用発明とは、次の点で一致する。
＜一致点＞
「透光性を有するとともにプリグルーブを形成した基板と、
　　この基板上に設けるとともに、レーザー光を吸収する色素から構成した光吸収物質を含む光記録層と、
　　この光記録層上に設けるとともに、前記レーザー光を反射する光反射層と、を有し、
　　前記基板を通して前記光記録層に前記レーザー光を照射することにより光学的に読み取り可能な情報を記録する光情報記録媒体であって、
　　前記光反射層の前記光記録層内における傾斜部の角度（グルーブ色素角度）が、
　　所定の範囲の角度であり、
　　前記プリグルーブ内の前記色素の厚さが、
　　所定の範囲の厚さである、
　　光情報記録媒体。」
　
　一方で、以下の点で相違する。
（相違点）
１．本願発明の光情報記録媒体は「前記光反射層の前記光記録層内における傾斜部の角度（グルーブ色素角度）が、３７．５度〜６０度」であるのに対し、引用発明の光記録媒体では「基板のグルーブに対応する反射層の窪みの半値幅における傾斜角Ｇａが、１５°≦Ｇａ≦８０°を満足する」と、その数値範囲が限定されていない点。
２．本願発明の光情報記録媒体は「前記プリグルーブ内の前記色素の厚さが、３５ｎｍ〜９０ｎｍ」であるのに対し、引用発明の光記録媒体では「基板のグルーブ底面からその直上に位置する反射層までの距離ｄ１が、７５ｎｍ≦ｄ１≦２００ｎｍを満足」と、その数値範囲が異なる点。
３．本願発明の光情報記録媒体は「前記プリグルーブ内において、当該光情報記録媒体の直径方向の切断面における前記プリグルーブの断面積に対する前記色素が占める断面積の比率（グルーブ内色素比率）が、３０％〜６３％、」、「前記プリグルーブ内への前記光反射層の突出深さが、８３ｎｍ〜１４０ｎｍ」、「前記色素の色素レベリング値が、０．１５〜０．２９」とそれぞれ特定されているのに対し、引用発明の光記録媒体はそれらの値について特定されていない点。
　
４．判断
（相違点）１．
　まず、本願発明において、「前記光反射層の前記光記録層内における傾斜部の角度（グルーブ色素角度）」を６０度以下と上限値を設ける点について検討する。
　上記摘記事項（ｂ）を参照すると、引用発明において「基板のグルーブに対応する反射層の窪みの半値幅における傾斜角Ｇａ」は、「反射層から検出されるトラッキング信号を十分な信号強度で得る」、すなわち、所定の反射率を得ることを目的として、その範囲が定められているものと認められる。
　また、本願発明においても、本願明細書の段落【００４３】の「６０度をこえると、光反射層４の形状が大きくゆがむため、十分な反射率を確保することができない。」旨の記載を参酌すると、引用発明と同様、所定の反射率を得ることを目的として、上限値を定めている。
　ここで、光情報記録媒体としてどの程度の反射率が必要なのかは、その光情報記録媒体の構造・材質や、光情報記録媒体を再生するための装置等、様々な条件により異なるものであり、特定の光情報記録媒体について、実験的に「前記光反射層の前記光記録層内における傾斜部の角度（グルーブ色素角度）」を６０度以下とその上限値を設定することは、単に数値範囲を最適化又は好適化しているにすぎず、この点は、当業者が適宜なし得る設計的事項である。
　
　次に、「前記光反射層の前記光記録層内における傾斜部の角度（グルーブ色素角度）」を３７．５度以上と下限値を設ける点について検討すると、この下限値は、本願明細書の段落【００４３】、【００４６】及び【００４８】並びに【図８】を参照すると、「ＤＣジッターを規格値以内に抑え」るために、「アシンメトリ値」を「−５％からプラス側へシフトさせることが望まし」い値として設定されたものと認められる。
　ここで、光情報記録媒体として「ＤＣジッター」の規格値がどの程度であるのか、また、それを実現するためにどの程度の「アシンメトリ値」が望ましいのかは、その光情報記録媒体の構造・材質や、光情報記録媒体を再生するための装置等、様々な条件により異なるものであり、特定の光情報記録媒体について必要な「ＤＣジッターの規格値」を得るために、実験的に「前記光反射層の前記光記録層内における傾斜部の角度（グルーブ色素角度）」を３７．５度以上とその下限値を設定することは、単に数値範囲を最適化又は好適化しているにすぎず、この点は、当業者が適宜なし得る設計的事項である。
　
　そして、「前記光反射層の前記光記録層内における傾斜部の角度（グルーブ色素角度）が、３７．５度〜６０度」の範囲内において、引用例に記載されていない有利な効果、又は際だって優れた効果があるとは認められない。
　したがって、引用発明の「基板のグルーブに対応する反射層の窪みの半値幅における傾斜角Ｇａ」の範囲を、本願発明の範囲に限定することは、当業者が容易になし得たものである。
　
（相違点）２．
　本願発明の光情報記録媒体の「前記プリグルーブ内の前記色素の厚さ」と、引用発明の光記録媒体の「基板のグルーブ底面からその直上に位置する反射層までの距離ｄ１」は、「７５ｎｍ〜９０ｎｍ」の範囲で重なっている。
　ここで、本願発明の光情報記録媒体において、本願明細書段落【００４３】を参照すると、「プリグルーブ内の前記色素の厚さ」の下限値は「プリグルーブ７内での色素量が少なくなり、十分な大きさの記録ピット１０を形成することができない。」、上限値は「ＤＣジッターを規格値以内に抑えることができない。」ことを理由として設けているものと認められる。
　一方、引用発明においても、上記摘記事項（ｂ）を参照すると、「基板のグルーブ底面からその直上に位置する反射層までの距離ｄ１」の下限値は「記録膜を構成する色素の量が少なくなってしまい十分な信号変調度を得ることができない」、上限値は「記録の際にピットの制御が困難となる」と、本願発明と同様の理由により、その範囲が定められている。
　そして、具体的にどの程度の「色素の厚さ」が必要なのかは、その光情報記録媒体の構造・材質や、光情報記録媒体を再生するための装置等、様々な条件により異なるものであり、特定の光情報記録媒体について必要な「色素の厚さ」を、実験的に「３５ｎｍ〜９０ｎｍ」と設定することは、単に数値範囲を最適化又は好適化しているにすぎず、この点は、当業者が適宜なし得た設計的事項である。
　また、「前記プリグルーブ内の前記色素の厚さが、３５ｎｍ〜９０ｎｍ」の範囲内において、引用例に記載されていない有利な効果、又は際だって優れた効果があるとは認められない。
　したがって、引用発明の「基板のグルーブ底面からその直上に位置する反射層までの距離ｄ１」の範囲を、本願発明の範囲に限定することは、当業者が容易になし得たものである。
　
（相違点）３．
ア）まず、「前記プリグルーブ内への前記光反射層の突出深さ」について検討する。
　本願発明において「前記プリグルーブ内への前記光反射層の突出深さ」は、「プリグルーブ７の深さ（基板グルーブ深さ）Ｈｓｇ−プリグルーブ７内における色素の厚さ（グルーブ内色素厚さ）Ｈｓｄ」で定義されている。
　一方、引用発明の「基板のグルーブ底面からその直上に位置する反射層までの距離ｄ１」は、本願発明の「プリグルーブ７内における色素の厚さ（グルーブ内色素厚さ）Ｈｓｄ」に相当し、また、上記摘記事項（ｄ）の「透明基板１は、〜グルーブの両端部の深さｄｓ１及びｄｓ２は共に１６９ｎｍ」である旨の記載を参照すると、引用例において、グルーブの両端部の深さ、すなわち、基板グルーブ深さ（Ｈｓｇ）は１６９ｎｍ程度である。　このとき、引用発明においても、「基板のグルーブ底面からその直上に位置する反射層までの距離ｄ１」が「７５ｎｍ〜８６ｎｍ」の範囲において、「前記プリグルーブ内への前記光反射層の突出深さ」は「８３ｎｍ〜９４ｎｍ」となり、その範囲を含むものであると認められる。
　ここで、「前記プリグルーブ内への前記光反射層の突出深さ」の範囲を特定することは、その定義から、「グルーブ内色素厚さ」の範囲を特定することの表現を変えただけにすぎず、上記（相違点）２．において検討したのと同様に、特定の光情報記録媒体について単に実験的に数値範囲を最適化又は好適化しているにすぎず、この点は、当業者が適宜なし得た設計的事項である。
　
イ）次に、「前記色素の色素レベリング値」について検討する。
　本願発明において、「前記色素の色素レベリング値」を０．２９以下との上限値を設ける点は、本願明細書の実施例３における色素レベリング値が「０．２９２」とその上限値以上の値であって、しかも、比較例１の値より大きいこと（本願の【図１２】参照。）からすると、当該上限値に格別の技術的意義を認めることができない。
　また、「前記色素の色素レベリング値」を０．１５以上と下限値を設ける点は、本願明細書の段落【００４３】に、「０．１５未満では、光反射層４の形状が大きくゆがむため、十分な反射率を確保することができない。」と記載されている点を考慮すると、光情報記録媒体として当然必要な反射率を得るための条件を単に設定したものにすぎない。
　そして、光情報記録媒体としてどの程度の反射率が必要なのかは、その光情報記録媒体の構造・材質や、光情報記録媒体を再生するための装置等、様々な条件により異なるものであり、特定の光情報記録媒体について必要な「色素レベリング値」を、実験的に「０．１５以上」とその下限値を設定することは、単に数値範囲を最適化又は好適化しているにすぎず、この点は、当業者が適宜なし得た設計的事項である。
　
ウ）そして、「前記プリグルーブ内において、当該光情報記録媒体の直径方向の切断面における前記プリグルーブの断面積に対する前記色素が占める断面積の比率（グルーブ内色素比率）」について検討する。
　本願発明も引用例も、「波長が６４０ｎｍ〜６８０ｎｍの半導体レーザーに対応する有機色素化合物を光記録層として用いたＤＶＤ−ＲやＤＶＤ＋Ｒなどの追記型光情報記録媒体」を前提としている。また、その基板は、上記ア）で検討したように、そのグルーブの深さはほぼ同一であり、さらに、トラックピッチが０．７４μｍ程度、グルーブの半値幅が３００ｎｍ程度である（本願発明については、本願明細書の段落【０００２】、【０００８】、【００５３】、【００５５】及び【００５６】、引用発明については、引用例段落【０００５】及び【００１５】等を参照。）点を考慮すると、その基板のサイズは、ほぼ同一のものであると認められる。
　すると、引用発明は、本願発明とほぼ同一のサイズの基板を有する光記録媒体であり、また、「前記光反射層の前記光記録層内における傾斜部の角度（グルーブ色素角度）」「前記プリグルーブ内への前記光反射層の突出深さ」「前記プリグルーブ内の前記色素の厚さ」の値について、本願発明の数値範囲を含んでいることから、引用発明においても「前記プリグルーブ内において、当該光情報記録媒体の直径方向の切断面における前記プリグルーブの断面積に対する前記色素が占める断面積の比率（グルーブ内色素比率）」の値は、本願発明とほぼ同様の範囲の値となるものと認められる。
　
　ここで、「前記プリグルーブ内において、当該光情報記録媒体の直径方向の切断面における前記プリグルーブの断面積に対する前記色素が占める断面積の比率（グルーブ内色素比率）」を３０％以上と下限値を設ける点は、本願明細書の段落【００４３】に、「３０％未満では十分な大きさの記録ピット１０を形成することができない。」と記載されている点から、結局、プリグルーブ内で十分な大きさの記録ピットを形成することができるだけの色素量の下限値を設定したものである。
　そして、具体的にどの程度の色素の量が必要なのかは、その光情報記録媒体の構造・材質や、光情報記録媒体を再生するための装置等、様々な条件により異なるものであり、特定の光情報記録媒体について、実験的に「前記プリグルーブ内において、当該光情報記録媒体の直径方向の切断面における前記プリグルーブの断面積に対する前記色素が占める断面積の比率（グルーブ内色素比率）」を３０％以上とその下限値を設定することは、単に数値範囲を最適化又は好適化しているにすぎず、この点は、当業者が適宜なし得る設計的事項である。
　
　次に、「前記プリグルーブ内において、当該光情報記録媒体の直径方向の切断面における前記プリグルーブの断面積に対する前記色素が占める断面積の比率（グルーブ内色素比率）」を６３％以下と上限値を設ける点について検討すると、この上限値は、本願明細書の段落【００４３】及び【００４６】並びに【図８】を参照すると、「ＤＣジッターを規格値以内に抑え」るために、「アシンメトリ値」を「−５％からプラス側へシフトさせることが望まし」い値として設定されたものと認められる。
　ここで、光情報記録媒体として「ＤＣジッター」の規格値がどの程度であるのか、また、それを実現するためにどの程度の「アシンメトリ値」が望ましいのかは、その光情報記録媒体の構造・材質や、光情報記録媒体を再生するための装置等、様々な条件により異なるものであり、特定の光情報記録媒体について必要な「ＤＣジッターの規格値」を得るために、実験的に「前記プリグルーブ内において、当該光情報記録媒体の直径方向の切断面における前記プリグルーブの断面積に対する前記色素が占める断面積の比率（グルーブ内色素比率）」を６３％以下とその上限値を設定することは、単に数値範囲を最適化又は好適化しているにすぎず、この点は、当業者が適宜なし得る設計的事項である。
　
エ）そして、「前記プリグルーブ内において、当該光情報記録媒体の直径方向の切断面における前記プリグルーブの断面積に対する前記色素が占める断面積の比率（グルーブ内色素比率）」、「前記プリグルーブ内への前記光反射層の突出深さ」、「前記色素の色素レベリング値」のそれぞれの範囲内において、引用例に記載されていない有利な効果、又は際だって優れた効果があるとは認められない。
　
　したがって、引用発明の光記録媒体において、「前記プリグルーブ内において、当該光情報記録媒体の直径方向の切断面における前記プリグルーブの断面積に対する前記色素が占める断面積の比率（グルーブ内色素比率）が、３０％〜６３％、」、「前記プリグルーブ内への前記光反射層の突出深さが、８３ｎｍ〜１４０ｎｍ」、「前記色素の色素レベリング値が、０．１５〜０．２９」とそれぞれの値を特定の範囲に限定することは、当業者が容易になし得たものである。
  
　そして、上記相違点を総合的に判断しても、本願発明が奏する効果は、引用例に記載された発明から、当業者が十分に予測できたものであって、格別なものとはいえない。
　
　したがって、本願発明は、引用例に記載された発明に基づいて当業者が容易に発明をすることができたものである。
　
５．むすび
　以上のとおり、本願の請求項１に係る発明は、特許法第２９条第２項の規定により特許を受けることができないものであるから、その余の請求項について論及するまでもなく、本願は拒絶すべきものである。
　よって、結論のとおり審決する。